(57)【要約】【課題】盗撮カメラが設置されたことを精度良く検知できる盗撮カメラ検知装置、盗撮カメラ検知システムおよび盗撮カメラ検知方法の提供を目的とする。【解決手段】信号取得部１０２は、アンテナ部１０１によって受信された、監視領域内から発信されている信号を取得し、画像情報判定部１０３は、信号取得部１０２によって取得された信号が画像情報であるか否かを信号の強度に基づいて判定し、送信部１０４は、画像判定部１０３によって信号が画像情報であると判断された場合に、信号取得部１０２によって取得された信号をネットワークで接続された監視装置２００に送信し、監視装置２００では、受信した信号を画像として出力する。【選択図】        図１
2008021254.tif 000002
【特許請求の範囲】
【請求項１】
ネットワークを介して送信された信号を画像として出力する監視装置に接続された盗撮カメラ検知装置において、
監視領域内から発信されている信号を受信するアンテナ部と、
前記アンテナ部によって受信された前記信号を取得する信号取得手段と、
前記信号取得手段によって取得された前記信号が画像情報であるか否かを前記信号の強度に基づいて判定する画像判定手段と、
前記画像判定手段によって前記信号が画像情報であると判断された場合に、前記信号取得手段によって取得された前記信号をネットワークで接続された前記監視装置に送信する信号送信手段と、
を備えることを特徴とする盗撮カメラ検知装置。
【請求項２】
監視領域内から発信されている信号を受信するアンテナ部と、
前記アンテナ部によって受信された前記信号を取得する信号取得手段と、
前記信号取得手段によって取得された前記信号が画像情報であるか否かを前記信号の強度に基づいて判定する画像判定手段と、
前記画像判定手段によって前記信号が画像情報であると判断された場合に、前記信号取得手段によって取得された前記信号を表示部に表示する表示手段と、
を備えることを特徴とする盗撮カメラ検知装置。
【請求項３】
前記画像判定手段は、前記信号取得手段によって取得された前記信号の強度が所定の閾値以上の信号である場合に、前記信号が画像信号であると判定すること、を特徴とする請求項１または請求項２に記載の盗撮カメラ検知装置。
【請求項４】
前記監視領域を撮像する監視カメラによって撮像された画像情報を取得する画像取得手段、をさらに備え、
前記送信手段は、さらに前記画像判定手段によって前記信号が画像信号であると判断された場合に、前記画像取得手段によって撮像された前記画像情報を画像表示部またはネットワークで接続された監視装置に送信すること、を特徴とする請求項１〜３のいずれか一つに記載の盗撮カメラ検知装置。
【請求項５】
前記監視カメラによって撮像された前記画像情報を記憶する画像情報記憶手段、をさらに備え、
前記送信手段は、前記画像情報記憶手段に記憶された前記画像情報から、前記画像判定手段によって画像信号であると判断された前記信号が取得される前、前記信号が取得される時、および前記信号が取得される後の前記画像情報を監視装置に送信すること、を特徴とする請求項４に記載の盗撮カメラ検知装置。
【請求項６】
盗撮カメラ検知装置と、前記盗撮カメラ検知装置とネットワークで接続された監視装置と、を備える盗撮カメラ検知システムにおいて、
前記盗撮カメラ検知装置は、
監視領域内から発信されている信号を受信するアンテナ部と、
前記アンテナ部によって受信された前記信号を取得する信号取得手段と、
前記信号取得手段によって取得された前記信号が画像情報であるか否かを前記信号の強度に基づいて判定する画像判定手段と、
前記画像判定手段によって前記信号が画像情報であると判断された場合に、前記信号取得手段によって取得された前記信号を前記監視装置に送信する信号送信手段と、を備え、
前記監視装置は、
前記盗撮カメラ検知装置から送信された前記信号を受信する信号受信手段と、
前記信号受信手段によって受信された前記信号を画像として表示する画像表示手段と、
を備えることを特徴とする盗撮カメラ検知システム。
【請求項７】
監視領域内から発信されている信号を受信するアンテナ部を備える盗撮カメラ検知装置における盗撮カメラ検知方法において、
前記アンテナ部によって受信された前記信号を取得する信号取得ステップと、
前記信号取得ステップによって取得された前記信号が画像情報であるか否かを前記信号の強度に基づいて判定する画像判定ステップと、
前記画像判定ステップによって前記信号が画像情報であると判断された場合に、前記信号取得ステップによって取得された前記信号をネットワークで接続された監視装置に送信する信号送信ステップと、
を有することを特徴とする盗撮カメラ検知方法。
【請求項８】
監視領域内から発信されている信号を受信するアンテナ部を備える盗撮カメラ検知装置における盗撮カメラ検知方法において、
前記アンテナ部によって受信された前記信号を取得する信号取得ステップと、
前記信号取得ステップによって取得された前記信号が画像情報であるか否かを前記信号の強度に基づいて判定する画像判定ステップと、
前記画像判定ステップによって前記信号が画像情報であると判断された場合に、前記信号取得手段によって取得された前記信号を表示部に表示する表示ステップと、
を有することを特徴とする盗撮カメラ検知方法。
【発明の詳細な説明】
【技術分野】
【０００１】
本発明は、盗撮カメラ検知装置、盗撮カメラ検知システムおよび盗撮カメラ検知方法に関するものであり、特に銀行等のＡＴＭ（Automatic Teller Machine）機における暗証番号等の盗撮の検知に関するものである。
【背景技術】
【０００２】
近年、銀行等のＡＴＭコーナーなどにおいて、スキミング装置と盗撮カメラを設置し、スキミング装置によりカード情報を読み取るとともに、操作画面に対して入力している暗証番号を盗撮カメラで撮像して暗証番号を盗み取り、偽造カードを作成して使用するというカード犯罪が社会問題となっている。
【０００３】
このような犯罪への対策としては、警備員等がＡＴＭコーナーを巡回してＡＴＭ機付近に不審物が設置されていないかを目視で確認することが行われている。しかしながら、このような対処方法では、巡回と巡回の間に盗撮カメラが設置され、その間にＡＴＭ機の利用者がいれば、情報を盗み取られる被害が発生してしまう。これを防止するためには、頻繁に巡回を行わなくてはならず、警備員等の人的負担が大きいという問題があった。
【０００４】
また、このような犯罪で設置される盗撮カメラは、何らかの偽装が行われ、人目につかないよう設置されているため、目視による確認だけでは見落としてしまうおそれがあった。このような問題を解決するものとして、盗撮カメラから発せられる電波を検知することにより盗撮カメラの存在を検知する盗撮検知装置が公開されている（特許文献１参照）。かかる盗撮検知装置では、所定の周波数の電波が検知されたかをもとに盗撮カメラが設置されていることを検知するようにしている。
【０００５】
【特許文献１】特開２００１−１８６５４６号公報
【発明の開示】
【発明が解決しようとする課題】
【０００６】
しかしながら、上記特許文献１に記載された技術は、特定周波数の電波が検知されたことをもとに盗撮カメラの存在を検知するものであるため、盗撮カメラ以外に特定周波数の電波が利用されている場合や、周辺機器からのノイズなどを検知してしまう場合には、正確に盗撮カメラを設置されたと判断することができなかった。したがって、かかる技術によって特定周波数の電波が検知された場合は、現地において盗撮カメラが設置されそうな場所を探して盗撮カメラの有無を確認する必要があり、盗撮カメラを捜索する人的負担や時間的負担が大きかった。また、盗撮カメラ以外の電波を検知する誤検知が増加すると、さらに人的負担が増加するという問題があった。
【０００７】
本発明は、上記に鑑みてなされたものであって、盗撮カメラが設置されたことを精度良く検知できる盗撮カメラ検知装置、盗撮カメラ検知システムおよび盗撮カメラ検知方法の提供を目的とする。
【課題を解決するための手段】
【０００８】
上述した課題を解決し、目的を達成するために、請求項１にかかる発明は、ネットワークを介して送信された信号を画像として出力する監視装置に接続された盗撮カメラ検知装置において、監視領域内から発信されている信号を受信するアンテナ部と、前記アンテナ部によって受信された前記信号を取得する信号取得手段と、前記信号取得手段によって取得された前記信号が画像情報であるか否かを前記信号の強度に基づいて判定する画像判定手段と、前記画像判定手段によって前記信号が画像情報であると判断された場合に、前記信号取得手段によって取得された前記信号をネットワークで接続された前記監視装置に送信する信号送信手段と、を備えることを特徴とする。
【０００９】
また、請求項２にかかる発明は、監視領域内から発信されている信号を受信するアンテナ部と、前記アンテナ部によって受信された前記信号を取得する信号取得手段と、前記信号取得手段によって取得された前記信号が画像情報であるか否かを前記信号の強度に基づいて判定する画像判定手段と、前記画像判定手段によって前記信号が画像情報であると判断された場合に、前記信号取得手段によって取得された前記信号を表示部に表示する表示手段と、を備えることを特徴とする。
【００１０】
また、請求項３にかかる発明は、請求項１または請求項２に記載の盗撮カメラ検知装置において、前記画像判定手段は、前記信号取得手段によって取得された前記信号の強度が所定の閾値以上の信号である場合に、前記信号が画像信号であると判定すること、を特徴とする。
【００１１】
また、請求項４にかかる発明は、請求項１〜３のいずれか一つに記載の盗撮カメラ検知装置において、前記監視領域を撮像する監視カメラによって撮像された画像情報を取得する画像取得手段、をさらに備え、前記送信手段は、さらに前記画像判定手段によって前記信号が画像信号であると判断された場合に、前記画像取得手段によって撮像された前記画像情報を画像表示部またはネットワークで接続された監視装置に送信すること、を特徴とする。
【００１２】
また、請求項５にかかる発明は、請求項４に記載の盗撮カメラ検知装置において、前記監視カメラによって撮像された前記画像情報を記憶する画像情報記憶手段、をさらに備え、前記送信手段は、前記画像情報記憶手段に記憶された前記画像情報から、前記画像判定手段によって画像信号であると判断された前記信号が取得される前、前記信号が取得される時、および前記信号が取得される後の前記画像情報を監視装置に送信すること、を特徴とする。
【００１３】
また、請求項６にかかる発明は、盗撮カメラ検知装置と、前記盗撮カメラ検知装置とネットワークで接続された監視装置と、を備える盗撮カメラ検知システムにおいて、前記盗撮カメラ検知装置は、監視領域内から発信されている信号を受信するアンテナ部と、前記アンテナ部によって受信された前記信号を取得する信号取得手段と、前記信号取得手段によって取得された前記信号が画像情報であるか否かを前記信号の強度に基づいて判定する画像判定手段と、前記画像判定手段によって前記信号が画像情報であると判断された場合に、前記信号取得手段によって取得された前記信号を前記監視装置に送信する信号送信手段と、を備え、前記監視装置は、前記盗撮カメラ検知装置から送信された前記信号を受信する信号受信手段と、前記信号受信手段によって受信された前記信号を画像として表示する画像表示手段と、を備えることを特徴とする。
【００１４】
また、請求項７にかかる発明は、監視領域内から発信されている信号を受信するアンテナ部を備える盗撮カメラ検知装置における盗撮カメラ検知方法において、前記アンテナ部によって受信された前記信号を取得する信号取得ステップと、前記信号取得ステップによって取得された前記信号が画像情報であるか否かを前記信号の強度に基づいて判定する画像判定ステップと、前記画像判定ステップによって前記信号が画像情報であると判断された場合に、前記信号取得ステップによって取得された前記信号をネットワークで接続された監視装置に送信する信号送信ステップと、を有することを特徴とする。
【００１５】
また、請求項８にかかる発明は、監視領域内から発信されている信号を受信するアンテナ部を備える盗撮カメラ検知装置における盗撮カメラ検知方法において、前記アンテナ部によって受信された前記信号を取得する信号取得ステップと、前記信号取得ステップによって取得された前記信号が画像情報であるか否かを前記信号の強度に基づいて判定する画像判定ステップと、前記画像判定ステップによって前記信号が画像情報であると判断された場合に、前記信号取得手段によって取得された前記信号を表示部に表示する表示ステップと、を有することを特徴とする。
【発明の効果】
【００１６】
請求項１にかかる発明によれば、アンテナ部によって監視領域内から発信されている信号を受信し、信号取得手段によって、アンテナ部によって受信された信号を取得し、画像判定手段によって、信号取得手段によって取得された信号が画像情報であるか否かを信号の強度に基づいて判定し、信号送信手段によって、画像判定手段によって信号が画像情報であると判断された場合に、信号取得手段によって取得された信号をネットワークで接続された監視装置に送信することにより、監視装置で信号を表示し、検知した信号が画像情報であるか否かを確認することができるため、盗撮カメラが設置されたことを精度良く検知することができるという効果を奏する。また、監視装置において複数の監視対象を一括して監視することができるため、多数の監視対象を効率よく監視できるという効果を奏する。
【００１７】
また、請求項２にかかる発明によれば、アンテナ部によって監視領域内から発信されている信号を受信し、信号取得手段によって、監視領域内から発信されている信号を受信するアンテナ部によって受信された信号を取得し、画像判定手段によって、信号取得手段によって取得された信号が画像情報であるか否かを信号の強度に基づいて判定し、表示手段によって、画像判定手段によって信号が画像情報であると判断された場合に、信号取得手段によって取得された信号を表示部に表示することにより、盗撮カメラ検知装置で信号を表示し、検知した信号が画像情報であるか否かを確認することができるため、盗撮カメラが設置されたことを精度良く検知することができるという効果を奏する。また、例えば盗撮カメラ検知装置が設置された銀行の支店等に表示部を設置しておけば、その支店等において画像を確認することができるため、盗撮カメラの確認、撤去を早急に行うことができるという効果を奏する。
【００１８】
また、請求項３にかかる発明によれば、画像判定手段は、信号取得手段によって取得された信号の強度が所定の閾値以上の信号である場合に、信号が画像信号であると判定することにより、盗撮カメラが発信している信号である可能性が高い信号を表示することができるため、設置されている盗撮カメラを精度高く発見することができるという効果を奏する。
【００１９】
また、請求項４にかかる発明によれば、画像取得手段によって、監視領域を撮像する監視カメラによって撮像された画像情報を取得し、送信手段は、さらに画像判定手段によって信号が画像信号であると判断された場合に、画像取得手段によって撮像された画像情報を画像表示部またはネットワークで接続された監視装置に送信することにより、検知された信号による画像と監視カメラが撮像した画像を表示することができるため、監視カメラの設置場所を容易に特定することができるという効果を奏する。
【００２０】
また、請求項５にかかる発明によれば、送信手段は、監視カメラによって撮像された画像情報を記憶する画像情報記憶手段に記憶された画像情報から、画像判定手段によって画像信号であると判断された信号が取得される前、信号が取得される時、および信号が取得される後の画像情報を監視装置に送信することにより、検知された信号による画像と、信号検知時および信号検知前後の監視カメラが撮像した画像を表示することができるため、画像を比較することにより、監視カメラの設置場所を容易に特定することができるという効果を奏する。
【００２１】
また、請求項６にかかる発明によれば、アンテナ部によって、監視領域内から発信されている信号を受信し、信号取得手段によって、アンテナ部によって受信された信号を取得し、画像判定手段によって、信号取得手段によって取得された信号が画像情報であるか否かを信号の強度に基づいて判定し、信号送信手段によって、画像判定手段によって信号が画像情報であると判断された場合に、信号取得手段によって取得された信号を監視装置に送信し、信号受信手段によって、盗撮カメラ検知装置から送信された信号を受信し、画像表示手段によって、信号受信手段によって受信された信号を画像として表示することにより、監視装置で信号を表示し、検知した信号が画像情報であるか否かを確認することができるため、盗撮カメラが設置されたことを精度良く検知することができるという効果を奏する。
【００２２】
また、請求項７にかかる発明によれば、信号取得ステップによって、アンテナ部によって受信された信号を取得し、画像判定ステップによって、信号取得ステップによって取得された信号が画像情報であるか否かを信号の強度に基づいて判定し、画像判定ステップによって信号が画像情報であると判断された場合に、信号取得ステップによって取得された信号をネットワークで接続された監視装置に送信することにより、監視装置で信号を表示し、検知した信号が画像情報であるか否かを確認することができるため、盗撮カメラが設置されたことを精度良く検知することができるという効果を奏する。
【００２３】
また、請求項８にかかる発明によれば、信号取得ステップによって、アンテナ部によって受信された信号を取得し、画像判定ステップによって、信号取得ステップによって取得された信号が画像情報であるか否かを信号の強度に基づいて判定し、表示ステップによって、画像判定ステップによって信号が画像情報であると判断された場合に、信号取得手段によって取得された信号を表示部に表示することにより、盗撮カメラ検知装置で信号を表示し、検知した信号が画像情報であるか否かを確認することができるため、盗撮カメラが設置されたことを精度良く検知することができるという効果を奏する。また、例えば盗撮カメラ検知装置が設置された銀行の支店等に表示部を設置しておけば、その支店等において画像を確認することができるため、盗撮カメラの確認、撤去を早急に行うことができるという効果を奏する。
【発明を実施するための最良の形態】
【００２４】
以下に添付図面を参照して、本発明にかかる盗撮カメラ検知装置、盗撮カメラ検知システムおよび盗撮カメラ検知方法の最良な実施の形態を詳細に説明する。なお、本発明はこれらの実施の形態に限定されるものではない。
【００２５】
（第１の実施の形態）
第１の実施の形態について、添付図面を参照して説明する。第１の実施の形態にかかる盗撮カメラ検知システムは、盗撮カメラ検知装置が監視領域において検知した信号を監視装置に送信し、監視装置では送信された信号を画像として表示するものである。
【００２６】
まず、本発明が適用される盗撮カメラ検知システムの構成例について説明する。図１は、第１の実施の形態にかかる盗撮カメラ検知システムの構成を示すブロック図である。
【００２７】
本実施の形態にかかる盗撮カメラ検知システム１０は、盗撮カメラ検知装置１００と、監視装置２００とから構成されており、盗撮カメラ検知装置１００と監視装置２００とは、電話回線、無線ネットワーク、インターネットなどのネットワーク３００を介して接続されている。
【００２８】
盗撮カメラ検知装置１００は、さらにアンテナ部１０１と、信号取得部１０２と、画像情報判定部１０３と、送信部１０４とを備えている。
【００２９】
アンテナ部１０１は、盗撮カメラによって撮像され、無線で送信されている信号を受信するものである。アンテナ部１０１は、予め設定された周波数の信号を受信してもよいし、予め設定された周波数の範囲の信号を順次スキャンして受信してもよい。アンテナ部１０１は、盗撮カメラが送信する信号を受信可能な位置に１または複数配置する。
【００３０】
信号取得部１０２は、アンテナ部１０１によって受信された信号を取得するものである。画像情報判定部１０３は、信号取得部１０２によって取得された信号が画像情報の可能性があるか否かを判定するものである。画像情報判定部１０３は、具体的には取得された信号の強度が所定の閾値以上である場合には、画像情報の可能性があると判定する。
【００３１】
送信部１０４は、画像情報判定部１０３によって信号が画像情報の可能性があると判定された場合には、信号を監視装置２００に送信するものである。なお、送信部１０４は、信号取得部１０２によって取得された信号を常に監視装置２００に送信しておき、画像情報判定部１０３によって信号が画像情報の可能性があると判定された場合に、その旨を示す信号を監視装置２００に送信するようにしてもよい。
【００３２】
また、監視装置２００は、さらに信号受信部２０１と、画像表示部２０２とを備えている。受信部２０１は、盗撮カメラ検知装置１００から送信された信号を受信するものである。画像表示部２０２は、受信部２０１によって受信された信号を画像として表示するものである。
【００３３】
次に、以上のように構成されている盗撮カメラ検知システム１０による盗撮カメラ検知処理について説明する。図２は、盗撮カメラ検知装置、監視装置が行う盗撮カメラ検知処理手順を示すフローチャートである。
【００３４】
盗撮カメラ検知装置１００において、アンテナ部１０１が信号を受信したか否かを判断する（ステップＳ２０１）。アンテナ部１０１が信号を受信していないと判断した場合は（ステップＳ２０１：Ｎｏ）、ステップＳ２０１に戻り、信号を受信するまで処理を繰り返す。
【００３５】
アンテナ部１０１が信号を受信したと判断した場合は（ステップＳ２０１：Ｙｅｓ）、信号取得部１０２が受信した信号を取得する（ステップＳ２０２）。次に、画像情報判定部１０３は、取得した信号の強度が所定の閾値以上であるか否かを判断する（ステップＳ２０３）。取得した信号の強度が所定の閾値以上でない、すなわち取得した信号が画像情報の可能性が低いと判断した場合は（ステップＳ２０３：Ｎｏ）、ステップＳ２０１に戻り、再度信号を受信するまで処理を繰り返す。
【００３６】
取得した信号の強度が所定の閾値以上である、すなわち取得した信号が画像情報である可能性が高いと判断した場合は（ステップＳ２０３：Ｙｅｓ）、送信部１０４は取得した信号を監視装置２００に送信する（ステップＳ２０４）。
【００３７】
監視装置２００において、受信部２０１は盗撮カメラ検知装置１００から送信された信号を受信する（ステップＳ２０５）。画像表示部２０２は、受信された信号を画像として表示する（ステップＳ２０６）。
【００３８】
このように、盗撮カメラによって撮像された画像が監視装置の画像表示部２０２で表示されるため、監視員が画像を確認することによって、盗撮カメラが監視領域に設置されていることを正確に把握することができる。また、表示された画像を確認することで、盗撮カメラが設置された場所を推測することができ、盗撮カメラの撤去を速やかに行うことができる。
【００３９】
また、画像表示部２０２に画像が表示された場合に、画像の内容を確認することによって盗撮カメラから出力された画像情報であるか盗撮カメラ以外の機器から出力された画像情報であることを判断することができるため、受信した信号を盗撮カメラから出力された信号であると判断してしまう誤報を防ぐことができる。例えば、画像表示部２０２に表示された画像が、ＡＴＭ機の暗証番号入力画面であれば、盗撮カメラにより撮影された画像であると判断することができる。一方、全く異なる画像であれば、異なる目的で設置されたカメラにより撮影された画像であると判断することができる。
【００４０】
さらに、画像表示部２０２に画像が表示されなかった場合は、受信した信号が画像信号以外の信号または単なるノイズであることを判断することができるため、監視カメラが設置されていると判断してしまう誤報を防ぐことができる。
【００４１】
なお、上述した実施の形態では、アンテナ部１０１によって受信された信号を監視装置２００に送信し、監視装置２００の画像表示部２０２において画像として表示した場合を説明したが、他の実施の形態として遠隔に設置された監視装置２００に送信せず、盗撮カメラ検知装置１００に画像表示部を備え、盗撮カメラ検知装置１００側で画像の表示を行い、盗撮カメラから画像を表示し、盗撮カメラの有無を判断してもよい。
【００４２】
なお、監視装置２００は、複数の盗撮カメラ検知装置１００をネットワークで接続し、盗撮カメラ検知装置１００それぞれから送信された盗撮カメラによって撮像された画像を画像表示部２０２に表示することにより、複数の監視場所における盗撮カメラの検知を一括して行うことができる。
【００４３】
次に、実際に監視カメラが設置されたキャッシュコーナーにおいて、盗撮カメラを検知する例について説明する。図３は、キャッシュコーナーに配置された盗撮カメラおよび盗撮カメラ検知装置の一例を示す説明図である。キャッシュコーナーに設置されているＡＴＭ機３１には、盗撮カメラ３３が暗証番号を入力する操作画面３２を撮像するように設置されたものとする。なお、盗撮カメラ３３は、利用者が気づかないように広告のチラシを入れる箱等に偽装して設置されている場合が多い。また、盗撮カメラ３３によって撮像された画像は、キャッシュコーナーの外部に設置されている、または盗撮者が所持している受信機３４に無線送信され、暗証番号等が盗み見られることになる。
【００４４】
盗撮カメラ検知装置１００のアンテナ部１０１は、監視領域内に設置され、盗撮カメラ３３から送信される信号を受信する。なお、ＡＴＭ機３１それぞれに設置してもよい。アンテナ部１０１によって信号を受信した場合は、盗撮カメラ検知システム１０によって上述した図２のフローチャートに示す処理が実行され、監視装置２００の画像表示部２０２に盗撮カメラ３３が撮像した画像が表示される。これによって、監視員は監視領域内に盗撮カメラが設置されているか否かを判断することができる。
【００４５】
（第２の実施の形態）
第２の実施の形態について、添付図面を参照して説明する。第２の実施の形態にかかる盗撮カメラ検知システムは、盗撮カメラ検知装置が監視領域において信号を検知した場合、検知信号と監視カメラによって撮像した画像情報を監視装置に送信し、監視装置では送信された信号および監視カメラの画像情報を画像として表示するものである。
【００４６】
本発明が適用される盗撮カメラ検知システムの構成例について、第１の実施の形態を異なる部分を説明する。他の部分については第１の実施の形態と同様であるので、上述した説明を参照し、ここでの説明を省略する。図４は、第２の実施の形態にかかる盗撮カメラ検知システムの構成を示すブロック図である。
【００４７】
本実施の形態にかかる盗撮カメラ検知システム４０は、盗撮カメラ検知装置４００と、監視装置５００とから構成されており、盗撮カメラ検知装置４００と監視装置５００とは、電話回線、無線ネットワーク、インターネットなどのネットワーク３００を介して接続されている。
【００４８】
盗撮カメラ検知装置４００は、さらにアンテナ部１０１と、信号取得部１０２と、画像情報判定部１０３と、送受信部４０４と、監視カメラ４０５と、画像情報取得部４０６と、画像情報記憶部４０７と、タイマ部４０８と、監視カメラ制御部４０９とを備えている。ここで、アンテナ部１０１と、信号取得部１０２と、画像情報判定部１０３の構成、機能は、第１の実施の形態と同様であるので、説明を省略する。
【００４９】
送受信部４０４は、信号取得部１０２によって取得された信号を監視装置５００に送信するものである。また、送受信部４０４は、画像情報取得部４０６によって取得された画像情報または画像情報記憶部４０７に記憶されている画像情報を監視装置５００に送信するとともに、監視装置５００から送信された監視カメラ４０５に対する操作情報を受信するものである。
【００５０】
監視カメラ４０５は、監視領域を撮像するために１または複数台設置されている。パンチルト、ズーム機能を備えるカメラを用いる場合、監視装置５００からの遠隔操作により向きを変えたりズーム倍率を変えるなどして、詳細に監視領域を撮像できる。画像情報取得部４０６は、監視カメラ４０５が撮像した画像情報を取得するものである。タイマ部４０８は、盗撮カメラ検知装置４００内での時刻を計測するものである。
【００５１】
画像情報記憶部４０７は、画像情報取得部４０６によって取得された画像情報をタイマ部４０８で計測した時刻とともに記憶するものである。監視カメラ制御部４０９は、送受信部４０４によって受信された操作情報に従って、監視カメラ４０５を制御するものである。
【００５２】
監視装置５００は、さらに送受信部５０１と、画像表示部５０２と、操作部５０３とを備えている。送受信部５０１は、盗撮カメラ検知装置４００から送信された信号および画像情報を受信するとともに、操作部５０３から指示された監視カメラ４０５に対する操作情報を盗撮カメラ検知装置４００に送信するものである。
【００５３】
画像表示部５０２は、送受信部５０１によって受信された信号および画像情報を編集して表示するものである。図５は、受信した信号の画像（盗撮カメラが撮像した画像）および信号の検知時、検知前および検知後に監視カメラが撮像した画像を画像表示部に表示する場合の説明図である。図６は、受信した信号の画像（盗撮カメラが撮像した画像）および複数の監視カメラが撮像した画像を画像表示部に表示する場合の説明図である。
【００５４】
操作部５０３は、監視カメラ４０５に対するパン、チルト、ズーム等の制御情報を入力するものである。
【００５５】
次に、以上のように構成されている盗撮カメラ検知システムによる盗撮カメラ検知処理について説明する。図７は、盗撮カメラ検知装置、監視装置が行う盗撮カメラ検知処理手順を示すフローチャートである。
【００５６】
本実施の形態にかかる盗撮カメラ検知処理の手順は、図２に示すフローチャートと共通する部分であるので、異なる部分のみ説明する。ステップＳ７０１〜ステップＳ７０４は、図２での説明を参照し、ここでの説明を省略する。
【００５７】
ステップＳ７０５において、盗撮カメラ検知装置４００の送受信部４０４は、画像情報記憶部４０７から信号取得時および信号取得時前後の監視カメラの画像情報を取得する（ステップＳ７０５）。この場合に、検知信号と画像情報を図５に示すように合成して送信してもよい。送受信部４０４は、信号の強度が所定の閾値以上であると判定された信号と画像情報記憶部４０７から取得した監視カメラの画像情報とを監視装置５００に送信する（ステップＳ７０６）。
【００５８】
監視装置５００において、送受信部５０１は、盗撮カメラ検知装置４００から送信された信号および画像情報を受信する（ステップＳ７０７）。画像表示部５０２は、信号および画像情報を画像として出力する（ステップＳ７０８）。
【００５９】
このように、盗撮カメラが撮像した画像とともに、盗撮カメラから送信される信号を検知した時と、検知される前と、検知された後に監視カメラ４０５が撮像した画像を図５に示すように監視装置５００の画像表示部５０２で表示することができるため、それらの画像を比較することによって盗撮カメラの設置位置を容易に把握することができる。また、監視カメラ４０５が撮像した信号検知時およびその前後の画像に盗撮カメラを設置した犯人が写っている可能性もある。
【００６０】
また、検知信号と、信号検知時および信号検知前後の画像情報に代えて、検知信号と、信号検知時に複数の監視カメラ４０５が撮像した画像情報を監視装置５００に送信してもよい。
【００６１】
このように、監視装置５００の画像表示部５０２において、図６に示すように盗撮カメラが撮像した画像と複数の監視カメラ４０５が撮像した画像が表示されるため、現在盗撮カメラが撮像している画像と監視カメラが撮像している画像とを対比することができ、盗撮カメラの設置位置を容易に把握することができる。また、操作部５０３からの操作（例えばパン、チルト、ズーム等）で監視カメラ４０５を制御することによって、監視装置５００で監視領域を監視している監視員が容易に盗撮カメラを発見することができる。
【００６２】
さらに、検知信号を表示する部分に画像が表示されていない場合、監視カメラ４０５が撮像した画像を確認することによって、盗撮カメラが設置されていないことや不審者が滞在していないこと、不審物が設置されていないことを監視装置５００の画像表示部５０２によって確認することができる。
【００６３】
なお、監視カメラの画像情報は、監視カメラが現在撮像している画像に代えて、画像情報記憶部４０７に記憶されている画像情報から、複数の監視カメラ４０５が撮像した信号検知時、信号検知前または信号検知後の画像情報を取得して送信してもよい。
【００６４】
さらに、上述した例では銀行のキャッシュコーナーにおける盗撮カメラの検知について説明したが、これに限らず、暗証番号を入力するタイプの貴重品ロッカーなど、盗撮による犯罪が問題となる場所において利用することができる。
【００６５】
以上、本発明を第１および第２の実施の形態を用いて説明してきたが、上述した実施の形態に多様な変更または改良を加えることができる。また、上述した第１の実施の形態、第２の実施の形態において説明した構成や機能は、自由に組み合わせることができる。
【図面の簡単な説明】
【００６６】
【図１】第１の実施の形態にかかる盗撮カメラ検知システムの構成を示すブロック図である。
【図２】盗撮カメラ検知装置、監視装置が行う盗撮カメラ検知処理手順を示すフローチャートである。
【図３】キャッシュコーナーに配置された盗撮カメラおよび盗撮カメラ検知装置の一例を示す説明図である。
【図４】第２の実施の形態にかかる盗撮カメラ検知システムの構成を示すブロック図である。
【図５】受信した信号の画像（盗撮カメラが撮像した画像）および信号の検知時、検知前および検知後に監視カメラが撮像した画像を画像表示部に表示する場合の説明図である。
【図６】受信した信号の画像（盗撮カメラが撮像した画像）および複数の監視カメラが撮像した画像を画像表示部に表示する場合の説明図である。
【図７】盗撮カメラ検知装置、監視装置が行う盗撮カメラ検知処理手順を示すフローチャートである。
【符号の説明】
【００６７】
１０  ４０  盗撮カメラ検知システム
１００  ４００  盗撮カメラ検知装置
１０１  アンテナ部
１０２  信号取得部
１０３  画像情報判定部
１０４  送信部
２００  ５００  監視装置
２０１  受信部
２０２  ５０２  画像表示部
３００  ネットワーク
４０４  送受信部
４０５  監視カメラ
４０６  画像情報取得部
４０７  画像情報記憶部
４０８  タイマ部
４０９  監視カメラ制御部
５０１  送受信部
５０３  操作部
【図１】
2008021254.tif 000003
【図２】
2008021254.tif 000004
【図３】
2008021254.tif 000005
【図４】
2008021254.tif 000006
【図５】
2008021254.tif 000007
【図６】
2008021254.tif 000008
【図７】
2008021254.tif 000009